(57)【要約】【課題】ファクシミリ送信をする際に、相手先端末器との通信を遮断させるおそれがなく、指定した相手先が正確かを簡易かつ容易に確認でき、かつ、ファクシミリ送信の際の誤送信を未然に防止できる通信端末装置を提供する。【解決手段】所定の通信手順信号には、相手先端末器の端末器識別情報を含んでおり、着信した相手先端末器から返信されてくる通信手順信号に含まれている端末器識別情報を抽出して表示部８に表示するとともに、予め準備したダミーデータをファクシミリ送信して通信を継続しておき、さらに、そのファクシミリ送信が終了するまでの間に、ユーザによる送信許可指令を受け付けたときには、セットされている原稿データをファクシミリ送信する一方、送信許可指令を受け付けなかったときには、相手先端末器との通信を遮断するようにした、制御手段１を備えている。【選択図】図１
2007243543.tif 000002
【特許請求の範囲】
【請求項１】
相手先端末器を発呼した後、所定の通信手順信号に従って、ファクシミリ送信する、表示部を備えた通信端末装置において、
上記所定の通信手順信号には、相手先端末器の端末器識別情報を含んでおり、
着信した相手先端末器から返信されてくる上記通信手順信号に含まれている端末器識別情報を抽出して上記表示部に表示するとともに、予め準備したダミーデータをファクシミリ送信して通信を継続しておき、さらに、そのファクシミリ送信が終了するまでの間に、ユーザによる送信許可指令を受け付けたときには、セットされている原稿データをファクシミリ送信する一方、
上記送信許可指令を受け付けなかったときには、相手先端末器との通信を遮断するようにした、制御手段を備えている、通信端末装置。
【請求項２】
請求項１において、
上記制御手段は、着信した相手先端末器から返信されて来る通信手順信号に含まれている端末器識別情報を、上記表示部に表示させた際には、報知を出力するようにしている、通信端末装置。
【請求項３】
請求項１または２において、
上記制御手段は、着信した相手先端末器から返信されてくる上記通信手順信号に含まれている端末器識別情報とともに、発呼した相手先端末器の電話番号を対比して表示させるようにしている、通信端末装置。
【発明の詳細な説明】
【技術分野】
【０００１】
本発明は、通信手順信号に従ってファクシミリ送信を行う通信端末装置の改良に関する。
【背景技術】
【０００２】
近時、ファクシミリ装置など、相手先を発呼し着信があったときには、通信手順信号を送受してから、画像データをファクシミリ送信する通信端末装置が広く使用されている（特許文献１参照）。
【０００３】
このような通信端末装置では、相手先を短縮ダイヤルもしくはテンキーの入力によって指定した後、スタートキーを操作すれば、原稿画像の送信処理が開始される。
【０００４】
送信処理は、メモリ送信とリアルタイム送信とに分けられ、メモリ送信では、スタートキーを操作すれば、スキャナによって原稿を読み取って画像データを生成し画像メモリに蓄積する。全原稿の画像データを画像メモリに蓄積すれば、相手先を発呼し着信があれば、通信手順信号の送受を行って送信元と相手先との間で相互の情報を認識してから、画像メモリに蓄積した画像データを送信する。
【０００５】
一方、リアルタイム送信では、スタートキーを操作すれば、相手先を発呼し着信があれば、通信手順信号の送受を行って送信元と相手先との間で相互の情報を認識してから、スキャナで原稿を読み取り画像データを読み取りファクシミリ送信を行う動作を原稿１枚ずつ繰り返す。
【特許文献１】特開２０００−３０７８３９号公報
【発明の開示】
【発明が解決しようとする課題】
【０００６】
ところで、ファクシミリ送信をする際に、相手先のファクシミリ番号を誤って指定することによって誤送信が発生することがある。
【０００７】
また、送信側と受信側とで相互を指定した発呼要求が重複することや、交換機の接続ミスによっても、誤った装置との間で通信回路が形成されて誤送信が発信することもある。
【０００８】
上記した従来の通信端末装置ではこれを未然に防止するため、通信手順信号に含まれる相手先ファクシミリ番号が送られてくるのを利用して、受信した相手先ファクシミリ番号を表示して送信許可指令を促し、送信許可指令がされてから、リアルタイム送信を開始して画像データ生成、送信を開始している。
【０００９】
しかしながら、ユーザが、ファクシミリ送信をしようとする相手先のファクシミリ番号を記憶していることが少なく、メモ書きなどを参照しながら指定することが多いので、単に相手先ファクシミリ番号を表示するだけでは、それが正しいか否かの判断をすることが困難であった。
【００１０】
また、メモ書きなどに記載された相手先ファクシミリ番号と、装置に表示された相手先ファクシミリ番号との照合をすることもできるが、一桁ずつ照合する必要があるため、照合しにくいといった問題もある。
【００１１】
更に、送信許可指令を促している間は、何らファクシミリ送信されないため、送信許可指令が遅くなると相手先端末器との通信が遮断されてしまうおそれがある。
【００１２】
本発明は、このような問題を解決するために提案され、ファクシミリ送信をする際に、相手先端末器との通信を遮断させるおそれがなく、指定した相手先が正確かを簡易かつ容易に確認でき、かつ、ファクシミリ送信の際の誤送信を未然に防止できる通信端末装置を提供することを目的とする。
【課題を解決するための手段】
【００１３】
上記目的を達成するため、請求項１では、所定の通信手順信号には、相手先端末器の端末器識別情報を含んでおり、着信した相手先端末器から返信されてくる上記通信手順信号に含まれている端末器識別情報を抽出して表示部に表示するとともに、予め準備したダミーデータをファクシミリ送信して通信を継続しておき、さらに、そのファクシミリ送信が終了するまでの間に、ユーザによる送信許可指令を受け付けたときには、セットされている原稿データをファクシミリ送信する一方、送信許可指令を受け付けなかったときには、相手先端末器との通信を遮断するようにした、制御手段を備えている。
【００１４】
請求項２では、制御手段は、着信した相手先端末器から返信されて来る通信手順信号に含まれている端末器識別情報を、表示部に表示させた際には、報知を出力するようにしている。
【００１５】
請求項３では、制御手段は、着信した相手先端末器から返信されてくる上記通信手順信号に含まれている端末器識別情報とともに、発呼した相手先端末器の電話番号を対比して表示させるようにしている。
【発明の効果】
【００１６】
本発明の請求項１によれば、ファクシミリ送信の際には、相手先端末器から受信した端末器識別情報を表示部に表示させて送信許可指令に対して待機するとともに、その待機時間の間、予め準備したダミーデータを相手先に送信する。
【００１７】
従って、送信許可指令に対して待機している間は、相手先との通信が遮断されることがなく、ユーザが指定した相手先を正確か否か容易かつ簡易に確認できる。
【００１８】
また、送信許可指令を受けつけるまでダミーデータを出力するので、原稿データが送信されることがなく、更にダミーデータを送信中に、送信許可指令を受け付けたときには原稿データをファクシミリ送信する一方、送信許可指令を受けつけなかったときには通信を遮断するので、原稿画像の誤送信を未然に防止できる。
【００１９】
請求項２によれば、相手先から返信されてきた端末器識別情報を表示部に表示したときには報知を出力するので、ユーザに対して注意を喚起できる。
【００２０】
請求項３によれば、相手先から返信されてきた端末器識別情報とともに、発呼した相手先端末器の電話番号を対比して表示するので、誤りを一見して確認できる。
【発明を実施するための最良の形態】
【００２１】
以下に、本発明の実施の形態について説明する。ここでは、本発明の画像形成装置の一例としてファクシミリ装置を示しているが、これには限られず、モデムを有し、所定の通信手順信号を送受してファクシミリ送信が実行できる装置であればよい。
【実施例１】
【００２２】
図１は、本発明の通信端末装置の要部構成の一例を示すブロック図である。
【００２３】
通信端末装置の一例であるファクシミリ装置Ｆは、制御手段を構成し、このファクシミリ装置Ｆを制御するＣＰＵ１、電話回線Ｌに対する接続制御をなすＮＣＵ２、ファクシミリ通信に必要な各種信号を変復調するモデム３、短縮ダイヤルデータなどを記憶するＲＡＭ４、このファクシミリ装置Ｆが動作するために必要な各種プログラムや、白画像データなどで構成されるダミーデータなどを記憶したＲＯＭ５、原稿を読み取り画像データを生成するスキャナ６、画像データを蓄積するための画像メモリ７、液晶画面などで構成される表示部８、各種操作キーなどで構成される操作部９、画像データを符号化、復号するコーデック１０、画像データを記録紙にプリントするプリンタ１１を備える。
【００２４】
このファクシミリ装置Ｆでは、リアルタイム送信あるいはメモリ送信を実行できる。リアルタイム送信では、相手先を発呼し着信した相手側端末器との間で通信手順信号の送受を行った後に、スキャナ６にセットされた原稿を読み取り送信するという動作を原稿１枚ずつ繰り返す。
【００２５】
メモリ送信では、スキャナ６により原稿を読み取り画像データを生成し、読み取った全ての原稿の画像データを画像メモリ７に蓄積してから、相手先を発呼し着信した相手側端末器との間で通信手順信号の送受の後、画像メモリ７に蓄積された画像データを送信する。
【００２６】
このファクシミリ装置Ｆは、発呼した相手先端末器が着信した後は、相手側端末器から返信されてくる通信手順信号に含まれている端末器識別情報を抽出して表示部８に表示するとともに、予め準備したダミーデータをファクシミリ送信して通信を継続しておき、さらに、そのファクシミリ送信が終了するまでの間に、送信許可指令を受け付けたときには、セットされている原稿データをファクシミリ送信する一方、送信許可指令を受けつけなかったときには、通信を遮断する。
【００２７】
以下、その基本動作の一例を説明する。
【００２８】
図２は、ファクシミリ装置Ｆの基本動作の一例を説明するためのフローチャートである（１００〜１１６）。
【００２９】
このファクシミリ装置Ｆは、相手先を発呼し、着信があれば相手先端末器との通信回線が閉結される。その後、相手先端末器と通信手順信号の送受を開始して、相手先端末器からＮＳＦ、ＣＳＩ、ＤＩＳを受信する。
【００３０】
相手先端末器の着信がなかった場合には、所定時間リダイアル処理を行い、着信が得られない場合には処理を終了させる。また、ＮＦＳ、ＣＳＩ、ＤＩＳを所定時間受信しなかった場合にも処理を終了させる。
【００３１】
ファクシミリ装置Ｆは、ＣＳＩに含まれる相手先ファクシミリ番号と、ＮＳＦに含まれる相手先名称とを抽出する。
【００３２】
そして、相手先ファクシミリ番号と、相手先名称とを対応付けた送信先確認ダイアログを表示させるとともに、ＲＯＭ４からダミーデータを読み出してダミーデータのファクシミリ送信をページ単位で開始する。ダミーデータは白画像データなどとしてＲＯＭ４に所定量記憶されており、これを受信した相手方端末器では、白紙が出力される。
【００３３】
なお、ダミー画像データとして白ラインデータを繰り返し送出するわけであるが、この場合は通常画像先頭に付ける発信元画像は送出しない。つまり受信側では白紙が排出されるので、その用紙を再使用することができるからである。
【００３４】
また、全白データではなく、「これからＦＡＸを送信します」などのファックスが届くことを示す画像情報を送信してもよい。
【００３５】
以上のようなダミーデータを送出する時間としては、Ａ４サイズで３．８５ＬＰＭで送出したとして、１ラインあたり４０ｍｓとすると４６秒かかることになる。この時間分は操作待ち時間に使用できる。不足するならば複数ページ分を送出してもよい。
【００３６】
また、ＩＴＵ−Ｔ  Ｔ３０通信勧告では、１ラインの画像符号化ラインの送出最大時間は５秒以下と決められているので、ＦＩＬＬビットを付加して１ラインを４秒にして送出すれば、１ページのダミー画像で十分である。
【００３７】
ファクシミリ装置Ｆは、相手先確認ダイアログを表示するときには、報知を出力してもよい。報知態様としては、送信先確認ダイアログを点滅表示させる、表示色を変更する、報知音を鳴動させるなどの態様があり、限定はされない。こうすれば、ユーザの注意を喚起できる。
【００３８】
そして、ダミーデータを全て送り終えるまでに、送信許可指令がなされたときにはダミーデータの送信を停止し、原稿のファクシミリ送信を開始する。
【００３９】
また、ダミーデータを送信し終わるまでの間に送信禁止指令を受け付けたときには、ダミーデータの送信を停止して通信を遮断する。
【００４０】
一方、ダミーデータを送信し終えるまでに送信許可指令がなされなかったときには、相手先端末器との通信回線を遮断する。
【００４１】
ここで、ダミー画像データ１ページ分の送出をもってダミー画像データの送信終了とする場合には、相手先端末器との通信回線を遮断するが、この例には限られず、第２ページ目のダミー画像データを送出し再び操作待ちに入ってもよい（ステップ１１６）。
【００４２】
なお、ダミーデータを送り終えるまでに、送信禁止指令がなされなかったときには送信許可指令がなされたとみなしてもよい。
【００４３】
図３は、送信先確認ダイアログの構成の一例を示す図である。送信先確認ダイアログ８０では、相手先端末器から送出された相手先カナ名称８０Ａ、相手先端末器から送出された相手先名称８０Ｂ、発呼した実際のファクシミリ番号８０Ｃを表示している。
【００４４】
なお、相手先名称８０Ｂとして、ここでは、全角文字情報と半角カナ文字情報とを表示しており、相手先端末器から送出された相手先名称ではなく、短縮ダイヤルデータから、相手先ファクシミリ番号を基に抽出したものであってもよい。
【００４５】
８０Ｄは「ＹＥＳ」ボタンを示しており、このボタンの操作により送信許可指令がＣＰＵ１になされる。８０Ｅは「ＮＯ」ボタンを示しており、送信禁止指令がＣＰＵ１になされる。ここでは、「ＹＥＳ」ボタン８０Ｄ、「ＮＯ」ボタン８０Ｅを送信確認ダイアログ８０に含めているが、これには限定されず、操作部９に専用キーとして設けたり、各種操作キーと機能を兼用して設けてもよい。
【００４６】
なお、本実施例では、送信先確認ダイアログを表示した後、ダミーデータのファクシミリ送信が終了するまでの間に送信先の確認をさせているが、これには限られず、送信先確認ダイアログを表示した後、タイマを起動して、そのタイマが所定時間を計時するまでの間を送信先確認時間としてもよい。
【００４７】
すなわち、送信先確認ダイアログ表示後、タイムアップするまでダミーデータのファクシミリ送信を継続し、その間に送信先の確認をさせ、送信許可指令があればダミーデータのファクシミリ送信を停止して原稿送信を開始する一方、送信禁止指令があったりタイムアップしたときには、ダミーデータのファクシミリ送信を停止し、通信回線を切断するようにしてもよい。
【図面の簡単な説明】
【００４８】
【図１】本発明の通信端末装置の要部構成の一例を示す図
【図２】本発明の通信端末装置の基本動作について説明するためのフローチャート
【図３】送信先確認ダイアログの構成の一例を示す図
【符号の説明】
【００４９】
Ｆ  ファクシミリ装置（通信端末装置）
１  ＣＰＵ
８  表示部
８０  送信先確認ダイアログ
８０Ａ  相手先ファクシミリ番号
８０Ｂ  相手先名称
８０Ｃ  発呼したファクシミリ番号
【図１】
2007243543.tif 000003
【図２】
2007243543.tif 000004
【図３】
2007243543.tif 000005